(57)【要約】【課題】従来の表示装置においては、薄型化と高い放熱効率の両立が困難という課題があった。【解決手段】画像を表示する表示パネル（ＰＤＰ）２と、前記表示パネル（ＰＤＰ）２の少なくとも画像を表示する面の反対側の面を覆う筐体３（３１、３２）と、を備え、前記筐体は、前記表示パネル（ＰＤＰ）２の表示面側に設けられた前孔３３と、前記前孔３３の反対側に設けられた後孔３４と、前記前孔３３と前記後孔３４との間に設けられたファン４と、を有し、前記表示パネル（ＰＤＰ）２の表示面側から見て、前記表示パネル（ＰＤＰ）２の表示領域外で、前記前孔３３と前記ファン４と前記後孔３４とが重複している表示装置。【選択図】図３
2010039257.tif 000002
【特許請求の範囲】
【請求項１】
画像を表示する表示パネルと、
前記表示パネルの少なくとも画像を表示する面の反対側の面を覆う筐体と、
前記筐体に収容されたファンと、を備え、
前記筐体は、
前記表示パネルの表示面側に設けられた前孔と、
前記表示面側の反対側に設けられた後孔と、
を有し、
前記ファンは、前記前孔と前記後孔との間に設けられ、
前記表示パネルの表示面側から見て、前記表示パネルの表示領域外で、前記前孔と前記ファンと前記後孔とが重複している、
表示装置。
【請求項２】
前記筐体は、
前記表示パネルを保持するシャーシ部材と、
前記表示パネルの表示面側から見て、前記シャーシ部材とともに前記ファンを収容する枠体と、を備え、
前記シャーシ部材は、前記後孔を有し、
前記枠体は、前記前孔を有する、
請求項１に記載の表示装置。
【請求項３】
前記ファンは、前記前孔と前記後孔とを結ぶ方向に延びた軸を中心に回転する羽を有する軸流ファンである、
請求項１または２に記載の表示装置。
【請求項４】
前記シャーシ部材は、前記表示パネルを保持する面とは反対側の面が、外部に露出している、
請求項２に記載の表示装置。
【請求項５】
前記シャーシ部材は、内部に流体が流れる流路を有し、
前記表示パネルの表示面側から見て、前記流路の一部は前記表示パネルと重複しており、前記流路の他の一部は前記ファンと重複している、
請求項２から４のいずれかに記載の表示装置。
【請求項６】
内部を液体が流れる放熱器をさらに備え、
前記シャーシ部材は、内部に前記流体が流れ、前記放熱器に接続された流路を有し、
前記表示パネルの表示面側から見て、前記流路の一部は前記表示パネルと重複しており、前記放熱器は前記ファンと重複している、
請求項２から５のいずれかに記載の表示装置。
【請求項７】
前記表示パネルを駆動させる駆動回路基板をさらに備え、
前記駆動回路基板は、前記表示パネルの表示面側から見て、前記表示パネルの周囲に配置されている、
請求項１から６のいずれかに記載の表示装置。
【請求項８】
前記表示パネルの表示面側から見て、前記流路の一部が前記駆動回路と重複している、
請求項７に記載の表示装置
【請求項９】
前記駆動回路基板は、前記シャーシ部材の前記表示パネルを保持する側の面に保持されている、
請求項７または８に記載の表示装置。
【請求項１０】
前記表示パネルは、プラズマディスプレイパネルである、
請求項１から９のいずれかに記載の表示装置。
【発明の詳細な説明】
【技術分野】
【０００１】
本発明は、薄型の表示装置等に関するものである。
【背景技術】
【０００２】
プラズマディスプレイパネル、液晶ディスプレイ、有機ＥＬディスプレイ等の表示パネルの出現により、画像等を表示する表示装置の薄型化が進んでいる。これらは、更なる薄型化に向けて改良が検討されている。
【０００３】
一方、表示パネルは熱を発生するものが多く、動作性能の維持等のために、これを冷却することが求められている。特許文献１には、冷媒を循環させて表示パネルを冷却する表示装置が開示されている。
【特許文献１】特開平５−１２１００５号公報
【発明の開示】
【発明が解決しようとする課題】
【０００４】
特許文献１に記載の表示装置においては、冷媒の循環によって熱の移動を行うことができるが、移動した熱を表示装置外に逃がす必要がある。そのため、特許文献１に記載の表示装置の実施形態は、ヒートシンクにより熱を逃がすようにしている。しかし、ヒートシンクからの空気中への放熱だけでは、十分に熱を逃がすことができない。
【０００５】
また、特許文献１に記載の表示装置の他の実施形態は、ファンによる空気の強制対流によって表示パネルを冷却している。しかし、空気の流れるスペースを表示パネルの前面または背面に設ける必要があり、表示装置の厚みが大きくなってしまう。
【０００６】
本発明は、これらの課題を解決し、放熱効率の高い薄型の表示装置を提供することを目的とする。
【課題を解決するための手段】
【０００７】
上記目的は以下の表示装置により達成できる。当該課題を達成するための表示装置は、画像を表示する表示パネルと、前記表示パネルの少なくとも画像を表示する面の反対側の面を覆う筐体と、前記筐体に収容されたファンと、を備え、前記筐体は、前記表示パネルの表示面側に設けられた前孔と、前記表示面側の反対側に設けられた後孔と、を有し、前記ファンは、前記前孔と前記後孔との間に設けられ、前記表示パネルの表示面側から見て、前記表示パネルの表示領域外で、前記前孔と前記ファンと前記後孔とが重複している。
【発明の効果】
【０００８】
本発明による表示装置によれば、放熱効率の高い薄型の表示装置を提供することができる。
【発明を実施するための最良の形態】
【０００９】
以下、表示装置等の実施形態について図面を参照して説明する。なお、実施形態において同様の動作を行う構成要素に同じ符号を付し、再度の説明を省略する場合がある。
【００１０】
＜第１実施形態＞
実施形態として、プラズマディスプレイパネル（以下、ＰＤＰと称す。）を用いた表示装置について説明する。以下の説明において、ＰＤＰの画像を表示する側を「前」、その反対側を「後ろ」と称する。また、各部材の前側の面を「前面」、後ろ側の面を「背面」と称する。
【００１１】
（１）全体構成
図１は、第１実施形態に係る表示装置１の前面斜視図である。図２は、第１実施形態に係る表示装置１の背面斜視図である。図３は、第１実施形態に係る表示装置１の分解斜視図である。図４は、シャーシ部材の厚み方向の断面図である。
【００１２】
表示装置１は、ＰＤＰ２、筐体３、ファン４、駆動回路基板５、放熱器６、ポンプ７、および、パイプ８を備える。
【００１３】
ＰＤＰ２は、前面ガラス基板と、背面ガラス基板とを有する。前面ガラス基板は、第１の方向と平行な走査電極と維持電極とからなる表示電極対が多数形成されている。背面ガラス基板は、第１の方向と交差する第２の方向と平行なアドレス電極が多数形成されている。表示電極対は誘電体層で覆われている。誘電体層は、ＭｇＯ等で形成された保護膜で覆われている。また、背面ガラス基板は、赤・青・緑の蛍光体が塗布されている。前面ガラス基板と背面ガラス基板とは貼り合わされている。前面ガラス基板および背面ガラス基板の最も広い面は長方形である。第１の方向は長方形の長辺方向であり、一般に水平方向になるようにして設置される。第２の方向は長方形の短辺方向であり、一般に鉛直方向になるようにして設置される。前面ガラス基板および背面ガラス基板はそれぞれおよそ１．５ｍｍ〜３ｍｍの厚さである。
【００１４】
前面から見て表示電極対とアドレス電極とが交わる位置であって、表示電極対とアドレス電極とに挟まれた部分を放電セルという。放電セルには赤・青・緑のいずれかの蛍光体が塗布されている。放電セルにはヘリウム（Ｈｅ）、ネオン（Ｎｅ）、キセノン（Ｘｅ）等の希ガスを含む放電ガスが封入されている。そして表示電極対およびアドレス電極に電圧を印加して放電セルに放電を起こし、紫外線を発生させる。そして、発生した紫外線で蛍光体を刺激して発光させ画像を表示する。
【００１５】
具体的には、まず、走査電極の全ラインに電圧を印加して全部の放電セルで放電を起こす初期化放電を行う。次に、走査電極に順次電圧を印加するとともに、電圧が印加された走査電極上で発光させたい放電セルと交わるアドレス電極にも電圧を印加する。これをアドレス放電といい、電圧が印加された走査電極とアドレス電極とが交わる位置の放電セルが発光し、該放電セルが発光セルとして選択される。その後、走査電極と維持電極との間に交流電圧を印加する維持放電を行う。維持放電により、先程選択された発光セルのみが発光し、ＰＤＰ２は画像を表示する。なお、ＰＤＰ２の画像が表示される領域を「表示領域」ともいう。「ＰＤＰ２の表示領域側」と、「前」とは、同じ意味となる。
【００１６】
ＰＤＰ２は、放電セルの内部で放電を発生させて画像を表示する際、ＰＤＰ２自体が高温になりやすい。ＰＤＰ２が高温になると、放電特性が変化して、発光すべき放電セルが発光しない、または発光すべきでない放電セルが発光する等の誤放電が発生しやすくなり、画像表示品質を低下させる問題が生じる。また、ＰＤＰ２が高温になると、前面ガラス基板または背面ガラス基板の割れといった問題が生じる。従って、ＰＤＰ２で発生する熱を効率よく逃がし、ＰＤＰ２を低い温度、例えば７０〜８０℃に抑えることが重要である。なお、ＰＤＰ２は、表示パネルの一例である。
【００１７】
筐体３は、シャーシ部材３１、枠体３２、前孔３３、後孔３４、を有する。
【００１８】
シャーシ部材３１は、ＰＤＰ２を前面で保持する。シャーシ部材３１は、ＰＤＰ２を保持する面とは反対側の面が、外部に露出している。言い換えると、シャーシ部材３１は、ＰＤＰ２を、シャーシ部材３１の表示面側の主面で保持しており、主面とは反対側の面が、外部に露出している。すなわち、シャーシ部材３１は、筐体３の一部である。
【００１９】
シャーシ部材３１は、熱伝導率および電気伝導率の高いアルミニウム等の金属板で構成されている。シャーシ部材３１の最も広い面の大きさが前面ガラス基板および背面ガラス基板の最も広い面よりも大きい。シャーシ部材３１の一方の面（前面）には熱伝導シートを介してＰＤＰ２が取り付けられる。また、シャーシ部材３１の前面には、電源回路基板や駆動回路等の駆動回路基板５がシャーシ部材３１と平行になるように取り付けられている。
【００２０】
シャーシ部材３１は、ＰＤＰ２や駆動回路基板５が発生した熱を吸収し、空気中や他の部材に熱を逃がす放熱部材として機能する。また、シャーシ部材３１は、ＰＤＰ２や駆動回路板５を支持しこれらの強度を保つ強度部材としても機能する。さらに、シャーシ部材３１は、ＰＤＰ２や駆動回路基板５等の電気的なグラウンドとしても機能する。
【００２１】
シャーシ部材３１は、さらに、内部に流体が流れる流路３１Ａ、３１Ｂを有する。具体的には、シャーシは２枚の板を重ね合わせた構成である。そして、２枚の板の間に一続きの空間を形成している。この空間が流路３１Ａ、３１Ｂである。実施形態では、この一続きの空間が２つ形成されている。流路３１Ａ、３１Ｂには、液体が充填され、ている。液体は、例えば、水とプロピレングリコールの混合液等である。流路３１Ａ，３１Ｂの両端には、放熱器６とポンプ７が直列に接続されている。具体的には、流路３１Ａ，３１Ｂの一端とポンプ７とは、パイプ８で接続されている。ポンプ７と放熱器６は、別のパイプ８で接続されている。さらに、放熱器６と流路３１Ａ、３１Ｂの他の一端が、別のパイプ８で接続されている。
【００２２】
シャーシ部材３１は、前から見て放熱器６と重複する位置に、前面から背面まで貫通する後孔３４を有する。後孔３４は、複数の貫通孔により構成されている。
【００２３】
放熱器６は、前から見てＰＤＰ２の周囲に配置され、シャーシ部材３１に保持されている。放熱器６は前から見てファン４と重複している。放熱器６は前面から背面にかけて複数の貫通孔を有している。そして、複数の貫通孔の近傍に細かい流路が形成されている。液体は、この流路を流れる。放熱器６は、前から見て後孔３４と重複する位置に配置されている。
【００２４】
枠体３２は、ＰＤＰ２の表示面側から見て、シャーシ部材３１とともにファンを収容する。また、枠体３２は、駆動回路基板５を収容する。枠体は、筐体３の一部である。枠体３２は、アルミニウムや樹脂等により形成されている。
【００２５】
枠体３２は、前面から背面まで貫通する前孔３３を有する。前孔３３は、前から見て後孔３４と重複する位置に配置されている。
【００２６】
ファン４は、筐体３に収容されている。ファン４は、前孔３３と後孔３４とを結ぶ方向に空気の流れを与える。
具体的には、ファン４は、前孔３３と後孔３４とを結ぶ方向に延びた軸を中心に回転する羽根を有する軸流ファンである。ファン４は、放熱器６の貫通孔に空気の流れを与え、放熱器６を冷却する。すなわち、ファン４は、放熱器６の内部を流れる液体を冷却する。
【００２７】
駆動回路基板５は、ＰＤＰ２を駆動する。また、駆動回路基板５は、ＰＤＰ２に電力を供給する。具体的には、駆動回路基板５は、表示電極対とアドレス電極とに選択的に電圧を印加するように駆動する。駆動回路基板５は、維持駆動回路と、走査駆動回路と、データ駆動回路とを有する。維持駆動回路は、維持電極に電圧を印加する。走査駆動回路は、走査電極に電圧を印加する。データ駆動回路は、アドレス電極に電圧を印加する。
【００２８】
（２）駆動回路基板の配置
図５は、表示装置１から枠体３２を取り外した前面図である。図６は、放熱器６を通るＰＤＰ２の前面に直交する面で切った断面図である。図６において、紙面上側が「前」である。駆動回路基板５は、ＰＤＰ２の表示面側（前）から見て、ＰＤＰ２の周囲に配置されている。駆動回路基板５は、シャーシ部材３１に保持されている。駆動回路基板５とＰＤＰ２とは、ともにシャーシ部材３１の前面に配置されている。そして、ＰＤＰ２の画像表示面と平行な方向からみて（図６）、駆動回路基板５は、ＰＤＰ２と、画像表示面と垂直な方向の位置が重なっている。
【００２９】
従来の表示装置は、前からみて表示パネルと駆動回路基板５とが重複していた。そのため、表示装置が厚かった。一方で、本実施形態によれば、上述の構成によって、表示装置１の薄型化が可能となっている。
【００３０】
（３）液体の循環経路
液体は、２つの閉じた経路を流れる。経路は、流路３１Ａ、３１Ｂ、放熱器６、ポンプ７、および、パイプ８を含む。図６、図７および図８を参照して説明を行う。図７は、液体の循環経路を示す図である。図８は、駆動回路基板５を通るＰＤＰ２の前面に直交する面で切った断面図である。
【００３１】
図７において、シャーシ部材３１の内部の流路３１Ａ、３１Ｂを実線で表している。また、図７において、一点鎖線で示した長方形の領域は、前から見たＰＤＰ２の重複位置を示す。ＰＤＰ２の表示面側（前）から見て、流路３１Ａ、３１Ｂの一部はＰＤＰ２と重複している。この部分でＰＤＰ２からシャーシ部材３１を介して液体に熱が移動する。
【００３２】
図７において、２点鎖線で示した長方形の領域は、前から見た駆動回路基板５の重複位置を示す。前から見て、流路３１Ａ、３１Ｂの一部は、駆動回路基板５と重複している。この部分で駆動回路基板５からシャーシ部材３１を介して液体に熱が移動する。
【００３３】
さらに、流路３１Ａ、３１Ｂの一部、具体的には前から見て最外周を通る部分は、前から見てＰＤＰ２および駆動回路基板５のいずれとも重複していない。この部分を通る液体は、外部に熱を放出する。
【００３４】
矢印は、液体の流れる方向を示す。前から見て、液体は最外周の部分を通る。ここで、液体は、外部に熱を放出する。具体的には、シャーシ部材３１を介し枠体３２に熱が伝達され、枠体３２全体から表示装置１の外部の空気に熱が放出される。次に、液体は、前から見てＰＤＰ２と重複する部分を通り、ここでＰＤＰ２から熱を吸収する。次に、液体は、前から見て駆動回路基板５と重複する部分を通り、ここで駆動回路基板５から熱を吸収する。このように、冷却対象は、ＰＤＰ２と駆動回路基板５とを含むが、先にＰＤＰ２を冷却するように液体を流す。これにより、ＰＤＰ２からの熱をより効率的に吸収することが可能となる。その後、液体は、放熱器６を通る。ここで、放熱器６から表示装置１の外部の空気に液体の熱が放出される。放熱器６の貫通孔には、ファン４により、表示装置１の外部の温度が低い空気が与えられる。したがって、放熱器６は、高い効率で放熱を行うことが可能である。そして、液体はポンプ８に入る。ポンプは液体に矢印の方向に流れるための運動エネルギーを与える。
【００３５】
液体の循環経路のうち、ＰＤＰ２と重複する部分の上流と下流とでは、温度差が生じる。しかし、本実施形態では、流路３１Ａ、３１Ｂを複数設けている。したがって、ＰＤＰ２の表示面内の温度差を小さくすることができる。
【００３６】
さらに、シャーシ部材３１の背面が露出している。そのため、シャーシ部材３１の背面から空気中に放熱が可能である。すなわち、液体、ＰＤＰ２または駆動回路基板５の熱をシャーシ部材３１の背面から放出可能である。なお、シャーシ部材３１の背面は、シャーシ部材３１の材料、すなわち、金属をそのまま露出する構成でもよく、金属を樹脂等の絶縁材料で薄くコーティングする構成でもよい。
【００３７】
以上のように、本実施形態の表示装置１は、放熱効率が高い。
【００３８】
（４）放熱機構の薄型構成
表示装置１はファン４を用いることで放熱効率が高い。そして、ファン４の配置等を工夫することにより、放熱機構の薄型化を実現している。ひいては、表示装置１の薄型化を実現している。以下、図９、図１０および図１１を用いて説明する。図９は、図６のファン４部分の拡大図である。図１０は、表示装置１の前面図である。図１１は、表示装置１の背面図である。
【００３９】
本実施形態の放熱機構は、前孔３３と、ファン４と、放熱器６と、後孔３４とで構成される。放熱機構は、ＰＤＰ２等の発熱部品から運ばれた熱を放熱器６で表示装置１の外部の空気に放熱する。さらに、シャーシ部材３１背面や枠体３２全面から外部の空気に放熱する。
本実施形態では、熱は、液体により運ばれる。
【００４０】
放熱機構の各部材の前後方向の位置関係は、次の通りである。ファン４は、前孔３３と後孔３４との間に配置されている。また、ファン４は、前孔３３と放熱器６との間に配置される。ファン４と前孔３３との間は実質的に隙間がない。また、ファン４と放熱器６との間は実質的に隙間がない。したがって、薄型の放熱機構が実現できる。
【００４１】
放熱機構の各部材の前から見た位置関係は、次の通りである。前から見て、ファン４は、後孔３４と重複する位置に配置されている。また、放熱器６および前孔３３も前から見て後孔３４と重複する位置に配置されている。よって、前孔３３と、ファン４と、放熱器６と、後孔３４とは、前から見て重複する。そして、前孔３３と後孔３４とを結ぶ方向に空気を流すことが可能である。具体的には、本実施形態は、前孔３３から後孔３４へ空気を流すことが可能となっている。なお、後孔３４から前孔３３へ空気を流すようにしてもよい。
【００４２】
液体の熱は、放熱器６の流路から貫通孔の表面の空気に放出される。また、放熱器６はファン４によって空気の流れが与えられる。これにより、放熱器６では液体の放熱を高効率に行うことが可能である。
【００４３】
従来の構成では、ファンでの冷却のために空気の流れる空間を確保していた。そのため、表示装置１の薄型化が困難であった。一方、本実施形態によれば、ファンにより十分な空気の流れを与えることができる放熱機構を薄型にすることが可能である。そして、表示装置１を薄型化することが可能である。
【００４４】
さらに、前から見て表示領域の外側に放熱機構を設けている。そして、表示領域と平行な方向から見て、放熱機構の前後方向の位置は、ＰＤＰ２の前後方向の位置と重複する。これにより、さらなる薄型化が実現可能である。
【００４５】
＜第２実施形態＞
第１実施形態と異なる点についてのみ説明する。第１実施形態と同一の部分については説明を省略する。
【００４６】
第１実施形態の表示装置１では、シャーシ部材３１の背面が露出していた。しかし、第２実施形態の表示装置１０では、シャーシ部材３１の背面を覆うバックカバー３５を有する。バックカバー３５は筐体３の一部である。
【００４７】
図１２は第２実施形態の表示装置１０の背面図である。バックカバー３５は、熱伝導率の高い樹脂等で形成される。バックカバー３５は、バックカバー孔３６を有する。第１実施形態の後孔３４は本実施形態でも有しており、シャーシ部材３１に形成されている。なお、本実施形態ではバックカバー孔３６が本発明の後孔に相当する。
【００４８】
バックカバー３５はシャーシ部材３１の背面に配置され、バックカバー孔３６は、前から見て、前孔３３、ファン４、放熱器６および後孔３４と重複する。
【００４９】
以上の構成により、第２実施形態の表示装置１０においても、第１実施形態と同様に、十分な放熱効率の確保と薄型化を実現できる。
【００５０】
＜その他の実施形態＞
上記各実施形態では、放熱器６をシャーシ部材３１と別部材として構成した。しかし、放熱器６をシャーシ部材３１と一体的に構成してもよい。具体的には、シャーシ部材３１の後孔３４の近傍に細い複数の流路を形成する。すると、この部分で液体がファン４の空気の流れにより冷却される。この構成を言い換えると、ＰＤＰ２の表示面側（前）から見て、流路３１Ａの一部はＰＤＰ２と重複しており、流路３１Ａの他の一部はファン４と重複している。
【００５１】
上記各実施形態では、液体による熱の運搬を利用して放熱器６等の放熱部分に熱を移動したが、液体を用いず、シャーシ部材３１の内部の熱伝導により熱を移動するようにしてもよい。
【００５２】
上記各実施形態では、表示デバイスとしてプラズマディスプレイパネルを例に説明したが、液晶ディスプレイやＥＬディスプレイ等にも適用できる。
【００５３】
また、上記の各実施形態において用いた具体的な数値等は、単に一例を挙げたに過ぎず、表示パネルの特性や画像表示装置の仕様等に合わせて、適宜最適な値に設定することが可能である。
【００５４】
＜実施形態の特徴＞
上述の実施形態に係る表示装置は、画像を表示する表示パネルと、前記表示パネルの少なくとも画像を表示する面の反対側の面を覆う筐体と、前記筐体に収容されたファンと、を備え、前記筐体は、前記表示パネルの表示面側に設けられた前孔と、前記表示面側の反対側に設けられた後孔と、を有し、前記ファンは、前記前孔と前記後孔との間に設けられ、前記表示パネルの表示面側から見て、前記表示パネルの表示領域外で、前記前孔と前記ファンと前記後孔とが重複している。これにより、放熱効率の高い、薄型の表示装置を実現できる。
【００５５】
上述の実施形態に係る表示装置は、さらに、前記筐体が、前記表示パネルを保持するシャーシ部材と、前記表示パネルの表示面側から見て、前記シャーシ部材とともに前記ファンを収容する枠体と、を備え、前記シャーシ部材は、前記後孔を有し、前記枠体は、前記前孔を有する。
【００５６】
上述の実施形態に係る表示装置は、さらに、前記ファンが、前記前孔と前記後孔とを結ぶ方向に延びた軸を中心に回転する羽根を有する軸流ファンである。これにより、送風能力の高い軸流ファンを薄型に維持しながら利用できる。
【００５７】
上述の実施形態に係る表示装置は、さらに、前記シャーシ部材の、前記表示パネルを保持する面とは反対側の面が、外部に露出している。これにより、さらに放熱効率を高めることができる。
【００５８】
上述の実施形態に係る表示装置は、さらに、前記シャーシ部材が、内部に流体が流れる流路を有し、前記表示パネルの表示面側から見て、前記流路の一部は前記表示パネルと重複しており、前記流路の他の一部は前記ファンと重複している。これにより、表示パネルからの熱を効率的にファンで冷却可能となる。  
【００５９】
上述の実施形態に係る表示装置は、内部を液体が流れる放熱器をさらに備え、
前記シャーシ部材は、内部に前記流体が流れ、前記放熱器に接続された流路を有している。前記表示パネルの表示面側から見て、前記流路の一部は前記表示パネルと重複しており、前記放熱器は前記ファンと重複している。これにより、表示パネルからの熱を効率的にファンで冷却可能となる。
【００６０】
上述の実施形態に係る表示装置は、前記表示パネルを駆動させる駆動回路基板を備え、前記駆動回路基板は、前記表示パネルの表示面側から見て、前記表示パネルの周囲に配置されている。
【００６１】
上述の実施形態に係る表示装置は、さらに、前記表示パネルの表示面側から見て、前記流路の一部が前記駆動回路基板と重複している。これにより、駆動回路基板からの熱を効率的に冷却可能となる。
【００６２】
上述の実施形態に係る表示装置の前記駆動回路基板は、前記シャーシ部材の前記表示パネルを保持する側の面に保持されている。これにより、表示装置の薄型化が可能である。
【００６３】
上述の実施形態に係る表示装置は、さらに、前記表示パネルが、プラズマディスプレイパネルである。これにより、放熱効率が高い、薄型のプラズマディスプレイを用いた表示装置を実現できる。
【００６４】
＜その他＞
上述の実施形態は本発明の一例である。本発明は、以上の実施形態に限定されることなく、種々の変更が可能であり、それらも本発明の範囲内に包含されるものであることは言うまでもない。
【産業上の利用可能性】
【００６５】
以上のように、本発明にかかる表示装置は、薄型化と高い放熱効率の両立が可能という効果を有し、表示装置等として有用である。
【図面の簡単な説明】
【００６６】
【図１】第１実施形態に係る表示装置１の前面斜視図
【図２】第１実施形態に係る表示装置１の背面斜視図
【図３】第１実施形態に係る表示装置１の分解斜視図
【図４】シャーシ部材の厚み方向の断面図
【図５】表示装置１から枠体３２を取り外した前面図
【図６】放熱器６を通るＰＤＰ２の前面に直交する面で切った断面図
【図７】液体の循環経路を示す図
【図８】駆動回路基板５を通るＰＤＰ２の前面に直交する面で切った断面図
【図９】図６のファン４部分の拡大図
【図１０】第１実施形態に係る表示装置１の前面図
【図１１】第１実施形態に係る表示装置１の背面図
【図１２】第２実施形態に係る表示装置１０の背面図
【符号の説明】
【００６７】
１、１０  表示装置
２  ＰＤＰ
３  筐体
４  ファン
５  駆動回路基板
６  放熱器
７  ポンプ
８  パイプ
３１  シャーシ部材
３１Ａ、３１Ｂ  流路
３２  枠体
３３  前孔
３４  後孔
３５  バックカバー
３６  バックカバー孔
【図１】
2010039257.tif 000003
【図２】
2010039257.tif 000004
【図３】
2010039257.tif 000005
【図４】
2010039257.tif 000006
【図５】
2010039257.tif 000007
【図６】
2010039257.tif 000008
【図７】
2010039257.tif 000009
【図８】
2010039257.tif 000010
【図９】
2010039257.tif 000011
【図１０】
2010039257.tif 000012
【図１１】
2010039257.tif 000013
【図１２】
2010039257.tif 000014